(57)【要約】【課題】支持部材から外れるのを抑制することが可能な回転部材を提供する。【解決手段】フォーカス調整つまみ６は、ボス部２ｅが嵌め込まれる円筒形状のガイドリブ部１９ａが設けられ、上部フレーム２に回転可能に取り付けられるつまみ部１１と、つまみ部１１の上部フレーム２側につまみ部１１から延びるように設けられ、互いに対向するように配置された円弧状の一対の円弧部１２、１３と、つまみ部１１の装着方向と交差する外側方向に延びるように、一対の円弧部１２、１３の両方の円周方向の両端部に、それぞれ、２個ずつ設けられ、上部フレーム２に係合するフック部１４〜１７とを備えている。フック部１４〜１７の装着方向の先端部分には、フック部１４〜１７の装着時に取付穴２ｆに当接することにより、フック部１４〜１７を取付穴２ｆの内側方向に撓ませる機能を有する面取り形状の当接部１４ａ〜１７ａが設けられている。【選択図】図７
2007240677.tif 000002
【特許請求の範囲】
【請求項１】
支持部材の支持部に回転可能に支持されるプロジェクタの回転部材において、
前記支持部が嵌め込まれる円筒形状のガイド部が設けられ、前記支持部材に回転可能に取り付けられる回転部と、
前記回転部の前記支持部材側に前記回転部から延びるように設けられ、互いに対向するように配置された円弧状の一対の円弧部と、
前記回転部の装着方向と交差する外側方向に延びるように、前記一対の円弧部の両方の円周方向の両端部に、それぞれ、２個ずつ設けられ、前記支持部材に係合するフック部とを備え、
前記フック部の前記支持部材の取付穴に対する装着方向の先端部分には、前記フック部の装着時に前記支持部材の取付穴に当接することにより、前記フック部を前記取付穴の内側方向に撓ませる機能を有する傾斜または丸形形状の当接部が設けられるとともに、前記フック部には、前記支持部材の取付穴の外側の係合部が係合され、前記支持部材の係合部の厚みよりも大きい溝幅を有する係合溝が形成されている、プロジェクタの回転部材。
【請求項２】
支持部材に回転可能に取り付けられる回転部と、
前記回転部の前記支持部材側に前記回転部から延びるように設けられ、互いに対向するように配置された円弧状の一対の円弧部と、
前記一対の円弧部のうちの少なくとも一方の円弧部の円周方向の端部から、前記回転部の装着方向と交差する外側方向に延びるように設けられ、前記支持部材に係合するフック部とを備えた、回転部材。
【請求項３】
前記フック部は、前記支持部材の取付穴の外側の係合部に係合され、
前記フック部の前記支持部材の取付穴に対する装着方向の先端部分には、前記フック部の装着時に、前記支持部材の取付穴に当接することにより、前記フック部を前記取付穴の内側方向に撓ませる機能を有する傾斜または丸形形状の当接部が設けられている、請求項２に記載の回転部材。
【請求項４】
前記フック部は、前記一対の円弧部の両方の円周方向の両端部に、それぞれ、２個ずつ設けられている、請求項２または３に記載の回転部材。
【請求項５】
前記回転部は、前記支持部材の支持部に支持された状態で回転され、
前記回転部には、前記支持部が嵌め込まれる円筒形状のガイド部が設けられている、請求項２〜４のいずれか１項に記載の回転部材。
【請求項６】
前記フック部には、前記支持部材の取付穴の外側の係合部に係合される係合溝が形成され、
前記係合溝の溝幅は、前記係合溝に係合される前記支持部材の係合部の厚みよりも大きい、請求項２〜５のいずれか１項に記載の回転部材。
【発明の詳細な説明】
【技術分野】
【０００１】
この発明は、電子機器などに回転可能に取り付けられる回転部材に関する。
【背景技術】
【０００２】
従来、機器の調整などを行う回転部材が回転可能に取り付けられたプロジェクタなどの電子機器が知られている（たとえば、特許文献１〜３参照）。また、従来、プロジェクタなどの電子機器に回転可能に取り付けられる種々の回転部材および回転部材の保持具が提案されている（たとえば、特許文献４参照）。
【０００３】
図１４は、上記特許文献４に開示された従来の回転部材の構成を示した斜視図である。図１４に示すように、特許文献４の回転部材１０３は、弾性変形可能な線材からなる保持具１０１によって取り付けられる。保持具１０１は、取付溝１０２ａが形成された固定部材１０２に固定されている。保持具１０１は、実質的に五角形状に曲げられた線材によって構成され、先端部に開口部１０１ａが形成されている。この開口部１０１ａの幅Ｗは、取り付けられる回転部材１０３の摺動溝１０３ａの直径よりも小さくなるように形成されている。
【０００４】
上記特許文献４の回転部材１０３を取り付ける場合には、回転部材１０３の摺動溝１０３ａが保持具１０１の開口部１０１ａに当接するように、固定部材１０２の取付溝１０２ａに回転部材１０３を矢印Ｇ方向に挿入する。そして、回転部材１０３が保持具１０１の開口部１０１ａに当接すると、開口部１０１ａが弾性変形されて広げられる。その後、回転部材１０３が、保持具１０１の開口部１０１ａよりも奥まで挿入されると、開口部１０１ａは弾性変形されて、回転部材１０３の摺動溝１０３ａの直径よりも小さい幅Ｗを有する元の開口部１０１ａの形状に戻る。これにより、回転部材１０３が、固定部材１０２の取付溝１０２ａの内壁および保持具１０１によって、取付溝１０２ａに摺動可能に保持される。
【０００５】
【特許文献１】特開平８−１５７７４号公報
【特許文献２】特開２００２−４０５５６号公報
【特許文献３】特開２００２−２１４６９８号公報
【特許文献４】特開２０００−１６１３４５号公報
【発明の開示】
【発明が解決しようとする課題】
【０００６】
しかしながら、上記特許文献４の回転部材１０３は、弾性変形可能な保持具１０１によって、回転部材１０３を保持しているので、装着方向（矢印Ｇ方向）と逆向きの方向の力が回転部材１０３に作用すると、固定部材１０２の取付溝１０２ａから回転部材１０３が外れやすいという問題点がある。
【０００７】
この発明は、上記のような課題を解決するためになされたものであり、この発明の１つの目的は、支持部材から外れるのを抑制することが可能な回転部材を提供することである。
【課題を解決するための手段】
【０００８】
この発明の第１の局面によるプロジェクタの回転部材は、支持部材の支持部に回転可能に支持されるプロジェクタの回転部材において、支持部が嵌め込まれる円筒形状のガイド部が設けられ、支持部材に回転可能に取り付けられる回転部と、回転部の支持部材側に回転部から延びるように設けられ、互いに対向するように配置された円弧状の一対の円弧部と、回転部の装着方向と交差する外側方向に延びるように、一対の円弧部の両方の円周方向の両端部に、それぞれ、２個ずつ設けられ、支持部材に係合するフック部とを備え、フック部の支持部材の取付穴に対する装着方向の先端部分には、フック部の装着時に支持部材の取付穴に当接することにより、フック部を取付穴の内側方向に撓ませる機能を有する傾斜または丸形形状の当接部が設けられるとともに、フック部には、支持部材の取付穴の外側の係合部が係合され、支持部材の係合部の厚みよりも大きい溝幅を有する係合溝が形成されている。
【０００９】
この発明の第１の局面によるプロジェクタの回転部材では、上記のように、円弧部の円周方向の端部から回転部材の装着方向と交差する外側方向に延びるとともに、支持部材に係合するフック部を設けることによって、回転部材を支持部材に取り付けた状態において、回転部材の装着方向と逆向きの大きな力が作用しても、フック部が外れる方向の力（回転部材の装着方向と交差する方向の力）がフック部に作用しにくいので、回転部材が外れるのを抑制することができる。また、円弧部の端部にフック部を設けることによって、取付穴から取り外すために、円弧部の中心方向（回転部材の装着方向と交差する方向）の力をフック部に作用させる際に、円弧部は変形しやすいので、容易にフック部を取り外すことができる。
【００１０】
また、第１の局面では、フック部の支持部材に対する装着方向の先端部分に、フック部の装着時に支持部材の取付穴に当接することにより、フック部を取付穴の内側方向に撓ませる機能を有する傾斜または丸形形状の当接部を設けることによって、取付穴に挿入する際に、フック部が取付穴の内側方向に撓む。これにより、装着方向にのみ力を作用させることによって、取付穴に挿入することができる。そして、取付穴への挿入後に、フック部と取付穴との当接が解除されて、フック部が取付穴よりも外側に突出する元の形状に復元されることによって、フック部と取付穴の外側の係合部とが係合されて、取り付け状態にすることができる。すなわち、装着方向にのみ力を作用させることによって、回転部材を支持部材に取り付けることができるので、回転部材の支持部材に対する取り付け時の作業性を向上させることができる。また、フック部を一対の円弧部の両方の円周方向の両端部にそれぞれ２個ずつ設けることによって、取り付け状態において、合計４個のフック部に均等に力が作用するので、がたつきなどを低減することができる。また、回転部に支持部が嵌め込まれる円筒形状のガイド部を設けることによって、ガイド部により、容易に、回転部材が支持部に支持された状態で回転可能にガイドすることができる。また、フック部の係合溝の溝幅を、係合溝に係合される支持部材の係合部の厚みよりも大きくすることによって、取り付け状態において、係合溝に支持部材の係合部が接触しないように構成することができるので、小さい力で回転させることができる。
【００１１】
この発明の第２の局面による回転部材は、支持部材に回転可能に取り付けられる回転部と、回転部の支持部材側に回転部から延びるように設けられ、互いに対向するように配置された円弧状の一対の円弧部と、一対の円弧部のうちの少なくとも一方の円弧部の円周方向の端部から、回転部の装着方向と交差する外側方向に延びるように設けられ、支持部材に係合するフック部とを備えている。
【００１２】
この発明の第２の局面による回転部材では、上記のように、円弧部の円周方向の端部から回転部材の装着方向と交差する外側方向に延びるとともに、支持部材に係合するフック部を設けることによって、回転部材を支持部材に取り付けた状態において、回転部材の装着方向と逆向きの大きな力が作用しても、フック部が外れる方向の力（回転部材の装着方向と交差する方向の力）がフック部に作用しにくいので、回転部材が外れるのを抑制することができる。また、円弧部の端部にフック部を設けることによって、取付穴から取り外すために、円弧部の中心方向（回転部材の装着方向と交差する方向）の力をフック部に作用させる際に、円弧部は変形しやすいので、容易にフック部を取り外すことができる。
【００１３】
上記第２の局面による回転部材において、好ましくは、フック部は、支持部材の取付穴の外側の係合部に係合され、フック部の支持部材の取付穴に対する装着方向の先端部分には、フック部の装着時に、支持部材の取付穴に当接することにより、フック部を取付穴の内側方向に撓ませる機能を有する傾斜または丸形形状の当接部が設けられている。このように構成すれば、取付穴に挿入する際に、フック部が取付穴の内側方向に撓むので、装着方向にのみ力を作用させることによって、取付穴に挿入することができる。そして、取付穴への挿入後にフック部と取付穴との当接が解除されて、フック部が取付穴よりも外側に突出する元の形状に復元されることによって、フック部と取付穴の外側の係合部とが係合されて、取り付け状態にすることができる。すなわち、装着方向にのみ力を作用させることによって、回転部材を支持部材に取り付けることができるので、回転部材の支持部材に対する取り付け時の作業性を向上させることができる。
【００１４】
上記第２の局面による回転部材において、好ましくは、フック部は、一対の円弧部の両方の円周方向の両端部に、それぞれ、２個ずつ設けられている。このように構成すれば、取り付け状態において、合計４個のフック部に均等に力が作用するので、がたつきなどを低減することができる。
【００１５】
上記第２の局面による回転部材において、好ましくは、回転部は、支持部材の支持部に支持された状態で回転され、回転部には、支持部が嵌め込まれる円筒形状のガイド部が設けられている。このように構成すれば、ガイド部により、容易に、回転部材が支持部に支持された状態で回転可能にガイドすることができる。
【００１６】
上記第２の局面による回転部材において、好ましくは、フック部には、支持部材の取付穴の外側の係合部に係合される係合溝が形成され、係合溝の溝幅は、係合溝に係合される支持部材の係合部の厚みよりも大きい。このように構成すれば、取り付け状態において、係合溝に支持部材の係合部が接触しないように構成することができるので、小さい力で回転させることができる。
【発明を実施するための最良の形態】
【００１７】
以下、本発明の実施形態を図面に基づいて説明する。なお、以下の説明では、本発明をプロジェクタのフォーカス調整つまみに適用した例について説明する。
【００１８】
図１は、本発明の一実施形態によるプロジェクタの全体構成を示した斜視図である。図２は、本発明の一実施形態によるプロジェクタの上部ケース、ズーム調整つまみおよびフォーカス調整つまみの分解斜視図である。図３は、図１に示したプロジェクタのズーム調整つまみおよびフォーカス調整つまみの装着部の断面図である。図１〜図３を参照して、本発明の一実施形態によるフォーカス調整つまみが適用されたプロジェクタの構造について説明する。
【００１９】
本発明のプロジェクタのフレームは、図１に示すように、前部フレーム１、上部フレーム２および下部フレーム３を含んでいる。前部フレーム１の一方の端部側（矢印Ａ方向）の部分には、映像を投影するための投影レンズ４が挿入されるレンズ挿入部１ａが形成されている。前部フレーム１の他方の端部側（矢印Ｂ方向）の部分には、冷却風を排気するための複数の排気口１ｂが形成されている。
【００２０】
また、上部フレーム２の一方の端部の前端部分には、図２に示すように、投影レンズ４の拡大率を調整するためのリング状のズーム調整つまみ５および投影レンズ４のフォーカスを調整するための円板状のフォーカス調整つまみ６が取り付けられている。これらのズーム調整つまみ５およびフォーカス調整つまみ６が取り付けられる上部フレーム２の部分には、図２に示すように、凹部２ａが形成されている。この凹部２ａは、上側凹部２ｂと、上側凹部２ｂよりも下側で、かつ、内側に設けられた下側凹部２ｃとを含んでいる。なお、下側凹部２ｃは、本発明の「係合部」の一例である。
【００２１】
また、図３に示すように、上側凹部２ｂは、ズーム調整つまみ５の底面部を摺動可能に支持するように構成されている。また、上側凹部２ｂの一部には、ズーム調整つまみ５の係合突起５ａが係合されるとともに、円周方向に所定の角度範囲で形成された円弧状のガイド溝２ｄが形成されている。
【００２２】
また、図２に示すように、下側凹部２ｃには、フォーカス調整つまみ６の円筒形状のガイドリブ部１９ａの内面に回転可能に嵌め込まれる円筒状のボス部２ｅが形成されている。このボス部２ｅの上端部の外側面は、図３に示すように、フォーカス調整つまみ６のガイドリブ部１９ａの内側面に摺動可能に接触するとともに、ボス部２ｅの上端部の上面は、フォーカス調整つまみ６の内面の下面部１１ｃに摺動可能に当接されている。また、下側凹部２ｃの中央部分には、後述するフォーカス調整つまみ６の円弧部１２および１３の先端部とフック部１４〜１７とが挿入される取付穴２ｆが形成されている。
【００２３】
ズーム調整つまみ５は、図１に示すように、回転軸線Ｃの周りを回転可能に、フォーカス調整つまみ６の外周部を取り囲むように取り付けられる。また、図２および図３に示すように、ズーム調整つまみ５の底面部には、下方へ延びる係合突起５ａが形成されている。係合突起５ａは、上部フレーム２の上側凹部２ｂに形成されたガイド溝２ｄに係合され、このガイド溝２ｄに沿って所定の角度範囲で回動される。なお、この係合突起５ａは、投影レンズ４の拡大率を調整するための歯車などを有するズーム機構（図示せず）に係合されている。
【００２４】
図４は、本発明の一実施形態によるフォーカス調整つまみの底面図である。図５は、図４の矢印Ｅ方向から見て、上下を逆にしたフォーカス調整つまみの側面図である。図６は、図４の矢印Ｆ方向から見て、上下を逆にしたフォーカス調整つまみの側面図である。図７は、底面方向から見たフォーカス調整つまみの斜視図である。図８および図９は、フォーカス調整つまみが上部ケースに取り付けられた状態の図である。次に、図１〜図９を参照して、本発明の一実施形態によるフォーカス調整つまみの構造について詳細に説明する。
【００２５】
図１および図２に示すように、フォーカス調整つまみ６は、回転軸線Ｃ（図２参照）の周りに回転可能に、上部フレーム２の凹部２ａに取り付けられている。フォーカス調整つまみ６は、ＡＢＳ樹脂（アクリロニトリル・ブタジエン・スチレン樹脂）によって構成されている。また、図４〜図７に示すように、フォーカス調整つまみ６には、つまみ部１１と、一対の円弧部１２および１３と、フック部１４、１５、１６および１７と、内側リブ１８と、外側リブ１９と、一対の係合突起部２０および２１とが一体的に形成されている。なお、つまみ部１１は、本発明の「回転部」の一例である。
【００２６】
つまみ部１１は、図３に示すように、上面部１１ａと、上面部１１ａの外周部に形成された外周部１１ｂと、下面部１１ｃを含んでいる。つまみ部１１の上面部１１ａは、図１に示すように、プロジェクタに取り付けられた状態では、ユーザによって、回転軸線Ｃの周りを回転操作可能に、上部フレーム２の上面上から露出するように設けられている。つまみ部１１の外周部１１ｂは、上面部１１ａの外周部から下方へ延びるように形成されている。また、図４および図７に示すように、つまみ部１１の下面部１１ｃには、一対の円弧部１２および１３と、内側リブ１８と、外側リブ１９と、一対の係合突起部２０および２１とが、一体的に設けられている。
【００２７】
一対の円弧部１２および１３は、図４に示すように、フォーカス調整つまみ６の中心を挟んで、対向するように設けられている。また、図５に示すように、円弧部１２および１３の下面は、つまみ部１１の外周部１１ｂの下面よりも下方に突出するように、下面部１１ｃに一体的に設けられている。また、図７に示すように、円弧部１２および１３は、弾性変形可能なように、つまみ部１１の厚みに比べて小さい厚みを有するように形成されている。
【００２８】
ここで、本実施形態では、４個のフック部１４〜１７が、各円弧部１２および１３の両端部から外側に延びるように形成されている。このフック部１４〜１７は、図９に示すように、取り付け状態において、一部が上部フレーム２の取付穴２ｆよりも外側に突出するように形成されている。図６に示すように、各フック部１４〜１７の装着方向（図６の矢印Ｄ方向）の先端部分には、つまみ部１１に向かって傾斜する面取り形状の当接部１４ａ、１５ａ、１６ａおよび１７ａが形成されている。この当接部１４ａ、１５ａ、１６ａおよび１７ａは、フック部１４〜１７の装着時に上部フレーム２の取付穴２ｆに当接することにより、フック部１４〜１７を取付穴２ｆの内側方向に撓ませる機能を有する。
【００２９】
円弧部１２および１３とフック部１４〜１７との下方に延びる部分の中央部近傍には、円弧部１２および１３の周方向に延びるように４つの係合溝１２ａ、１２ｂ、１３ａおよび１３ｂが形成されている。この係合溝１２ａ、１２ｂ、１３ａおよび１３ｂの溝幅Ｗ１（図５参照）は、上部フレーム２の下側凹部２ｃの厚みｔ１（図８参照）よりも大きくなるように形成されている。そして、フォーカス調整つまみ６が上部フレーム２に取り付けられた状態では、係合溝１２ａ、１２ｂ、１３ａおよび１３ｂと上部フレーム２の下側凹部２ｃとが接触しないように、図８に示すように、つまみ部１１の下面部１１ｃに上部フレーム２のボス部２ｅが当接されて、フォーカス調整つまみ６が保持される。
【００３０】
下面部１１ｃに一体的に形成される内側リブ１８は、図４に示すように、円弧状の円弧リブ部１８ａと、フォーカス調整つまみ６の中心から放射状に延びる板状リブ部１８ｂとを含んでいる。内側リブ１８は、円弧部１２および１３の内側に形成され、端部が円弧部１２および１３と係合突起部２０および２１に連結されている。内側リブ１８の下面部は、図８に示すように、つまみ部１１の外周部１１ｂの下面部よりも上方に位置するように形成されている。内側リブ１８は、円弧部１２および１３と係合突起部２０および２１とを補強する機能を有する。
【００３１】
下面部１１ｃに一体的に形成される外側リブ１９は、円弧部１２および１３の外周側に形成されている。外側リブ１９は、フォーカス調整つまみ６の中心と中心を同じくする円筒形状のガイドリブ部１９ａと、ガイドリブ部１９ａの外周側からつまみ部１１の外周部１１ｂに放射線状に延びる複数の放射リブ部１９ｂとを含んでいる。外側リブ１９の下面部は、図７に示すように、つまみ部１１の外周部１１ｂの下面部よりも上方に位置するように形成されている。ガイドリブ部１９ａは、図８に示すように、上部フレーム２の下側凹部２ｃのボス部２ｅの外周面に摺動可能に嵌め込まれることによって、回転時のガイドとしての機能を有する。なお、ガイドリブ部１９ａは、本発明の「ガイド部」の一例である。
【００３２】
係合突起部２０および２１は、フォーカス調整つまみ６の中心を挟んで対向する位置に、かつ、円弧部１２および１３に挟まれるように配置されている。この係合突起部２０および２１は、投影レンズ４のフォーカスを調整するための歯車などを有するフォーカス機構（図示せず）に係合されている。
【００３３】
図１０〜図１３は、フォーカス調整つまみの取り付け動作を説明するための側面図である。以下、図１０〜図１３を参照して、フォーカス調整つまみ６の取り付け動作について説明する。
【００３４】
まず、図１０に示すように、フック部１４〜１７の面取り形状の当接部１４ａ〜１７ａが、上部フレーム２の取付穴２ｆの内周面に当接するまで、フォーカス調整つまみ６を凹部２ａに挿入する。次に、フォーカス調整つまみ６に装着方向（矢印Ｄ方向）の力を加えて、さらに、フォーカス調整つまみ６を取付穴２ｆに挿入すると、図１１および図１２に示すように、取付穴２ｆの内周面からフック部１４〜１７の面取り形状の当接部１４ａ〜１７ａが取付穴２ｆの内側方向の力を受けることによって、フック部１４〜１７とともに円弧部１２および１３が内側へ弾性変形する。これにより、フック部１４〜１７と円弧部１２および１３とが、取付穴２ｆに挿入可能になる。さらに、フォーカス調整つまみ６を取付穴２ｆに矢印Ｄ方向へ挿入することによって、図１３に示すように、取付穴２ｆの内周面とフック部１４〜１７との当接が解除される。これにより、円弧部１２および１３の復元力によって、円弧部１２および１３とフック部１４〜１７とが、フック部１４〜１７の一部が取付穴２ｆの外側に位置する元の形状に戻る。そして、上部フレーム２の下側凹部２ｃが、係合溝１２ａ、１２ｂ、１３ａおよび１３ｂに挿入された状態になる。ここで、取り付け状態において、図８に示すように、フォーカス調整つまみ６の外側リブ１９のガイドリブ部１９ａが、下側凹部２ｃのボス部２ｅに嵌め込まれて、ボス部２ｅの上端面がフォーカス調整つまみ６の下面部１１ｃに摺動可能に当接されるとともに、図１３に示すように、係合溝１２ａ、１２ｂ、１３ａおよび１３ｂの溝幅Ｗ１が下側凹部２ｃの厚みｔ１よりも大きいので、係合溝１２ａ、１２ｂ、１３ａおよび１３ｂに挿入された上部フレーム２の下側凹部２ｃは、係合溝１２ａ、１２ｂ、１３ａおよび１３ｂの内壁と接触することがない。また、取り付け状態においては、円弧部１２および１３と、取付穴２ｆとの間にも、隙間が形成されるので、円弧部１２および１３と、取付穴２ｆの内周面とが接触することがない。
【００３５】
また、フォーカス調整つまみ６を取り外す場合には、フォーカス調整つまみ６の中心方向へ向かってフック部１４〜１７を押圧することにより、取付穴２ｆから抜くことが可能になるように円弧部１２および１３を弾性変形させる。そして、円弧部１２および１３を弾性変形させた状態で、装着方向（矢印Ｄ方向）とは逆方向へ引き抜くことにより、フォーカス調整つまみ６が取り外される。
【００３６】
本実施形態では、上記のように、円弧部１２および１３の円周方向の端部から、フォーカス調整つまみ６の装着方向（矢印Ｄ方向）と交差する外側方向に延びるとともに、上部フレーム２の下側凹部２ｃに係合するフック部１４〜１７を設けることによって、フォーカス調整つまみ６を下側凹部２ｃに取り付けた状態において、フォーカス調整つまみ６の装着方向（矢印Ｄ方向）と逆向きの大きな力が作用しても、フック部１４〜１７が外れる方向の力（フォーカス調整つまみ６の装着方向Ｄと直交する方向の力）がフック部１４〜１７に作用しにくいので、フォーカス調整つまみ６が外れるのを抑制することができる。また、円弧部１２および１３の端部にフック部１４〜１７を設けることによって、取付穴２ｆから取り外すために、円弧部１２および１３の中心方向（フォーカス調整つまみ６の装着方向Ｄと直交する方向）の力をフック部１４〜１７に作用させる際に、円弧部１２および１３は変形しやすいので、容易にフック部１４〜１７を取り外すことができる。
【００３７】
また、上記実施形態では、フック部１４〜１７の下側凹部２ｃに対する装着方向（矢印Ｄ方向）の先端部分に、フック部１４〜１７の装着時に、下側凹部２ｃの取付穴２ｆに当接することにより、フック部１４〜１７を取付穴２７の内側方向に撓ませる機能を有する面取り形状の当接部１４ａ〜１７ａを設けることによって、取付穴２ｆに挿入する際に、フック部１４〜１７取付穴２ｆの内側方向に撓む。これにより、装着方向（矢印Ｄ方向）にのみ力を作用させることによって、取付穴２ｆに挿入することができる。そして、取付穴２ｆへの挿入後に、フック部１４〜１７と取付穴２ｆの内壁との当接が解除されて、フック部１４〜１７の一部が取付穴２ｆよりも外側に位置する元の形状に復元されることによって、フック部１４〜１７の取付穴２ｆの外側の下側凹部２ｃとが係合されて取り付け状態にすることができる。すなわち、装着方向にのみ力を作用させることによって、フォーカス調整つまみ６を上部フレーム２に取り付けることができるので、フォーカス調整つまみ６の上部フレーム２に対する取り付け時の作業性を向上させることができる。
【００３８】
また、上記実施形態では、一対の円弧部１２および１３の両方の円周方向の両端部に、それぞれ、２個ずつのフック部１４〜１７を設けることによって、取り付け状態において、合計４個のフック部１４〜１７に均等に力を作用させることができるので、がたつきなどを低減することができる。また、つまみ部１１に上部フレーム２のボス部２ｅが嵌め込まれる円筒形状のガイドリブ部１９ａを設けることによって、ガイドリブ部１９ａにより、容易に、フォーカス調整つまみ６が、上部フレーム２のボス部２ｅに支持された状態で回転可能にガイドすることができる。また、フック部１４〜１７に形成されている係合溝１２ａ、１２ｂ、１３ａおよび１３ｂの溝幅Ｗ１を、上部フレーム２の下側凹部２ｃの厚みｔ１よりも大きく形成することによって、取り付け状態において、係合溝１２ａ、１２ｂ、１３ａおよび１３ｂに上部フレーム２の下側凹部２ｃが接触しないようにすることができるので、小さい力でフォーカス調整つまみ６を回転させることができる。
【００３９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４０】
たとえば、上記実施形態では、本発明の回転部材の一例としてのプロジェクタのフォーカス調整つまみ６に本発明を適用する例を示したが、本発明はこれに限らず、他の回転部材に本発明を適用してもよい。
【００４１】
また、上記実施形態では、フック部１４、１５、１６および１７に面取り形状の当接部１４ａ、１５ａ、１６ａおよび１７ａを設ける例を示したが、本発明はこれに限らず、面取り形状の当接部の代わりに、面取り形状の当接部と同じ機能を有する丸形形状の当接部をフック部に設けてもよい。
【００４２】
また、上記実施形態では、一対の円弧部１２および１３の両方に２個ずつフック部１４〜１７を設ける例を示したが、本発明はこれに限らず、円弧部１２および１３のいずれか一方のみにフック部を設けるようにしてもよいし、円弧部１２および１３の両方に、それぞれ、１個ずつフック部を設けるようにしてもよい。
【図面の簡単な説明】
【００４３】
【図１】本発明の一実施形態によるプロジェクタの全体構成を示した斜視図である。
【図２】本発明の一実施形態によるプロジェクタの上部ケース、ズーム調整つまみおよびフォーカス調整つまみの分解斜視図である。
【図３】図１に示したプロジェクタのズーム調整つまみおよびフォーカス調整つまみの装着部の断面図である。
【図４】本発明の一実施形態によるフォーカス調整つまみの底面図である。
【図５】図４の矢印Ｅ方向から見て上下を逆にしたフォーカス調整つまみの側面図である。
【図６】図４の矢印Ｆ方向から見て上下を逆にしたフォーカス調整つまみの側面図である。
【図７】底面方向から見たフォーカス調整つまみの斜視図である。
【図８】フォーカス調整つまみが上部ケースに取り付けられた状態の断面図である。
【図９】フォーカス調整つまみが上部ケースに取り付けられた状態において、底面方向から見た斜視図である。
【図１０】フォーカス調整つまみの取り付け動作を説明するためのフォーカス調整つまみおよび上部フレームの図である。
【図１１】フォーカス調整つまみの取り付け動作を説明するためのフォーカス調整つまみおよび上部フレームの図である。
【図１２】フォーカス調整つまみの取り付け動作を説明するためのフォーカス調整つまみおよび上部フレームの図である。
【図１３】フォーカス調整つまみの取り付け動作を説明するためのフォーカス調整つまみおよび上部フレームの図である。
【図１４】従来の回転部材の構成を示した斜視図である。
【符号の説明】
【００４４】
２     上部フレーム（支持部材）
２ａ   凹部
２ｂ   上側凹部
２ｃ   下側凹部（係合部）
２ｄ   ガイド溝
２ｅ   ボス部（支持部）
２ｆ   取付穴
６      フォーカス調整つまみ
１１   つまみ部（回転部）
１２、１３        円弧部
１２ａ、１２ｂ、１３ａ、１３ｂ         係合溝
１４、１５、１６、１７          フック部
１４ａ、１５ａ、１６ａ、１７ａ         当接部
１８   内側リブ
１９   外側リブ
１９ａ ガイドリブ部（ガイド部）
１９ｂ 放射リブ部
２０   係合突起部
【図１】
2007240677.tif 000003
【図２】
2007240677.tif 000004
【図３】
2007240677.tif 000005
【図４】
2007240677.tif 000006
【図５】
2007240677.tif 000007
【図６】
2007240677.tif 000008
【図７】
2007240677.tif 000009
【図８】
2007240677.tif 000010
【図９】
2007240677.tif 000011
【図１０】
2007240677.tif 000012
【図１１】
2007240677.tif 000013
【図１２】
2007240677.tif 000014
【図１３】
2007240677.tif 000015
【図１４】
2007240677.tif 000016